【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させる駆動制御手段が設けられていることを特徴とする液晶表示装置。
【請求項２】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記駆動制御手段は、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、当該光源ブロックの点灯期間内では、前記上限値に対する前記最も明るい階調レベルに対応したデューティで該バックライトを点滅させる構成とされていることを特徴とする請求項１記載の液晶表示装置。
【請求項３】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させる駆動制御手段が設けられていることを特徴とする液晶表示装置。
【請求項４】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記駆動制御手段は、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、当該光源ブロックの点灯期間内では、前記上限値に対する前記平均値の割合に対応したデューティで該バックライトを点滅させる構成とされていることを特徴とする請求項３記載の液晶表示装置。
【請求項５】
前記階調レベルの平均値は、
当該フレームにおける最も明るい階調レベルを有する画素を基準として、所定の範囲内の画素に対応した階調レベルを検出し、この検出結果の平均をとることにより求めることを特徴とする請求項３又は４記載の液晶表示装置。
【請求項６】
前記バックライトは、
少なくともＲ，Ｇ，ＢのＬＥＤを有することを特徴とする請求項１、２、３、４又は５記載の液晶表示装置。
【請求項７】
前記液晶が応答した時点は、
該液晶の応答がほぼ７０％以上に達した第１の時点、あるいは、前記第１の時点以降の第２の時点に設定されていることを特徴とする請求項１乃至６のいずれか一に記載の液晶表示装置。
【請求項８】
前記駆動制御手段は、
前記画素領域に対して、各フレーム期間中に、オーバードライブ駆動を行う構成とされていることを特徴とする請求項１乃至７のいずれか一に記載の液晶表示装置。
【請求項９】
前記駆動制御手段は、
所定のフレーム周波数で入力される前記入力映像信号の各フレームを前記フレーム周波数のＭ倍（Ｍ；２以上の整数）のサブフレーム周波数を有するＭ個のサブフレームに分割し、対応する前記画素領域に対して、フレーム期間中に、第１番目の前記サブフレームでオーバードライブ駆動を行うと共に、第２番目以降の前記サブフレームで通常駆動を行う構成とされていることを特徴とする請求項１乃至８のいずれか一に記載の液晶表示装置。
【請求項１０】
前記駆動制御手段は、
フレーム期間中に、前記バックライトを所定の時間間隔でＮ回（Ｎ；２以上の整数）点灯させる構成とされていることを特徴とする請求項１乃至９のいずれか一に記載の液晶表示装置。
【請求項１１】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動制御回路であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させる構成とされていることを特徴とする液晶表示装置に用いられる駆動制御回路。
【請求項１２】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、当該光源ブロックの点灯期間内では、前記上限値に対する前記最も明るい階調レベルに対応したデューティで該バックライトを点滅させる構成とされていることを特徴とする請求項１１記載の液晶表示装置に用いられる駆動制御回路。
【請求項１３】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動制御回路であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させる構成とされていることを特徴とする液晶表示装置に用いられる駆動制御回路。
【請求項１４】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、当該光源ブロックの点灯期間内では、前記上限値に対する前記平均値の割合に対応したデューティで該バックライトを点滅させる構成とされていることを特徴とする請求項１３記載の液晶表示装置に用いられる駆動制御回路。
【請求項１５】
１つの集積回路で構成されていることを特徴とする請求項１１、１２、１３又は１４記載の液晶表示装置に用いられる駆動制御回路。
【請求項１６】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動方法であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させることを特徴とする液晶表示装置に用いられる駆動方法。
【請求項１７】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、当該光源ブロックの点灯期間内では、前記上限値に対する前記最も明るい階調レベルに対応したデューティで該バックライトを点滅させることを特徴とする請求項１６記載の液晶表示装置に用いられる駆動方法。
【請求項１８】
液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動方法であって、
Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させることを特徴とする液晶表示装置に用いられる駆動方法。
【請求項１９】
前記液晶パネルの前記各データ電極は、第１の方向に沿って所定間隔で互いに平行に配列され、前記各走査電極は、前記第１の方向と直交する第２の方向に沿って所定間隔で互いに平行に配列され、前記バックライトは、発光領域が前記液晶パネルの前記第１の方向にｍ（ｍ；１以上の整数）分割及び前記第２の方向にｋ（ｋ；２以上の整数）分割された複数の光源ブロックからなり、
前記各光源ブロックの発光領域に対応した前記液晶の応答に対応して当該光源ブロックを所定の期間点灯させ、かつ、前記各光源ブロックに対応して、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、当該光源ブロックの点灯期間内では、前記上限値に対する前記平均値の割合に対応したデューティで該バックライトを点滅させることを特徴とする請求項１８記載の液晶表示装置に用いられる駆動方法。
【請求項２０】
前記バックライトの前記点灯期間は、
当該フレームの液晶の応答がほぼ７０％以上に達した第１の時点から、当該フレームの次フレームの液晶の応答がほぼ３０％以下である範囲内に設定されていることを特徴とする請求項１又は３記載の液晶表示装置。
【請求項２１】
前記各光源ブロックの点灯期間は、
前記各光源ブロックの発光領域に対応した当該フレームの液晶の応答がほぼ７０％以上に達した第１の時点から、当該フレームの次フレームの前記発光領域に対応した液晶の応答がほぼ３０％以下である範囲内に設定されていることを特徴とする請求項２又は４記載の液晶表示装置。
【請求項２２】
前記バックライトの前記点灯期間は、
当該フレームの液晶の応答がほぼ７０％以上に達した第１の時点から、当該フレームの次フレームの液晶の応答がほぼ３０％以下である範囲内に設定されていることを特徴とする請求項１１又は１３記載の液晶表示装置に用いられる駆動制御回路。
【請求項２３】
前記各光源ブロックの点灯期間は、
前記各光源ブロックの発光領域に対応した当該フレームの液晶の応答がほぼ７０％以上に達した第１の時点から、当該フレームの次フレームの前記発光領域に対応した液晶の応答がほぼ３０％以下である範囲内に設定されていることを特徴とする請求項１２又は１４記載の液晶表示装置に用いられる駆動制御回路。
【請求項２４】
前記バックライトの前記点灯期間は、
当該フレームの液晶の応答がほぼ７０％以上に達した第１の時点から、当該フレームの次フレームの液晶の応答がほぼ３０％以下である範囲内に設定されていることを特徴とする請求項１６又は１８記載の液晶表示装置に用いられる駆動方法。
【請求項２５】
前記各光源ブロックの点灯期間は、
前記各光源ブロックの発光領域に対応した当該フレームの液晶の応答がほぼ７０％以上に達した第１の時点から、当該フレームの次フレームの前記発光領域に対応した液晶の応答がほぼ３０％以下である範囲内に設定されていることを特徴とする請求項１７又は１９記載の液晶表示装置に用いられる駆動方法。
【手続補正２】
【補正対象書類名】明細書
【補正対象項目名】０００８
【補正方法】変更
【補正の内容】
【０００８】
上記課題を解決するために、この発明の第１の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させる駆動制御手段が設けられていることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
この発明の第２の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させる駆動制御手段が設けられていることを特徴としている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
また、この発明の第３の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動制御回路に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させる構成とされていることを特徴としている。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】変更
【補正の内容】
【００２０】
また、この発明の第４の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動制御回路に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させる構成とされていることを特徴としている。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
また、この発明の第５の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動方法に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを検出し、検出された前記最も明るい階調レベルが前記上限値と同一レベルになるように前記入力映像信号の階調レベルを変換すると共に、前記バックライトの点灯期間内では、前記上限値に対する前記最も明るい階調レベルの割合に対応したデューティで該バックライトを点滅させることを特徴としている。
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
また、この発明の第６の構成は、液晶パネルと、該液晶パネルを裏面側から照らすバックライトとを備え、該液晶パネルは、各走査電極と各データ電極とが駆動されることで、対応する画素領域に所定の階調電圧が印加され、該階調電圧に応じて当該画素領域における液晶の応答が制御されることにより入力映像信号に対応した表示画像を得る液晶表示装置に用いられる駆動方法に係り、Ｒ（赤），Ｇ（緑），Ｂ（青）毎に階調レベルの上限値が設定されている前記入力映像信号のフレーム期間中に、前記画素領域における前記所定の階調電圧の印加に対して液晶が応答する前は前記バックライトを消灯させる一方、該応答した時点で該バックライトを所定の期間点灯させ、かつ、前記入力映像信号のＲ，Ｇ，Ｂ毎に、当該フレームにおける最も明るい階調レベルを含む所定の範囲内の階調レベルの平均値を検出し、検出された前記平均値が前記上限値と同一レベルになるように前記入力映像信号の階調レベルを変換すると共に、前記バックライトの点灯期間内では、前記上限値に対する前記平均値の割合に対応したデューティで該バックライトを点滅させることを特徴としている。
【手続補正２０】
【補正対象書類名】明細書
【補正対象項目名】００２６
【補正方法】削除
【補正の内容】